(57)【要約】【課題】運転席に座った状態でオペレータがセレクタバルブを切り換え操作することができ、また、セレクタバルブとオイルタンクとの連絡に設けられる油圧ホースを短くすることができる建設機械の提供。【解決手段】本発明は、ブレーカ、クラッシャ等のアタッチメントを有する作業装置３と、アタッチメントの操作を切り換えるセレクタバルブ２０と、運転席７の右側方に配置され、セレクタバルブ２０からの戻り油を収容するオイルタンク１４と、セレクタバルブ２０とオイルタンク１４との連絡に設けられる油圧ホース２２とを備えたミニショベルにおいて、セレクタバルブ２０を、オイルタンク１４の近傍位置に設けた構成にしてある。また、セレクタバルブ２０を保持する保持装置２１を備え、この保持装置２１をオイルタンク１４に固定してある。【選択図】図３
2016030943.tif 000002
【特許請求の範囲】
【請求項１】
アタッチメントを有する作業装置と、上記アタッチメントの操作を切り換えるセレクタバルブと、運転席の右側方に配置され、上記セレクタバルブからの戻り油を収容するオイルタンクと、上記セレクタバルブと上記オイルタンクとの連絡に設けられる油圧ホースとを備えた建設機械において、
上記セレクタバルブを、上記オイルタンクの近傍位置に設けたことを特徴とする建設機械。
【請求項２】
請求項１に記載の建設機械において、
上記セレクタバルブを保持する保持装置を備え、上記保持装置を上記オイルタンクに固定したことを特徴とする建設機械。
【請求項３】
請求項２に記載の建設機械において、
上記オイルタンクに接続されるパイプ管を備え、上記油圧ホースの一端を上記セレクタバルブに接続し、上記油圧ホースの他端を上記パイプ管に接続したことを特徴とする建設機械。
【請求項４】
請求項２に記載の建設機械において、
上記オイルタンクを覆う外装カバーを備え、上記外装カバーに上記セレクタバルブの切り換え操作を許容させる穴部を形成し、上記穴部を塞ぐキャップを設けたことを特徴とする建設機械。
【請求項５】
請求項４に記載の建設機械において、
当該建設機械はミニショベルから成り、上記外装カバーは、上記運転席に座ったオペレータの足回りを保護する空間部を形成する構成部材であることを特徴とする建設機械。
【発明の詳細な説明】
【技術分野】
【０００１】
本発明は、作業装置のアタッチメントの操作を切り換えるセレクタバルブを備えたミニショベル等の建設機械に関する。
【背景技術】
【０００２】
図８は従来の建設機械の一例として挙げたミニショベルの要部斜視図、図９は図８に示す状態からキャップを取り外した状態を示す斜視図である。
【０００３】
これらの図８，９に示す建設機械、すなわちミニショベルは、走行体３０と、この走行体３０上に配置される旋回体３１と、この旋回体３１に上下方向の回動可能に取り付けられ、ブーム、アーム、バケットを含む作業装置３２とを備えている。旋回体３１上には運転席が配置され、この運転席の下方にはエンジン、油圧ポンプ等が収納されるエンジン室３３が設けられ、エンジン室３３の後方にはカウンタウェイト３４が設けられている。
【０００４】
このようなミニショベルにあっては、バケットに代えてブレーカ、クラッシャ等のアタッチメントが装着されて作業が行われることがある。その場合に、例えばブレーカによる操作とクラッシャによる操作を切り換え、それぞれに適切な油路を確保するセレクタバルブが備えられる。
【０００５】
従来のミニショベルでは、同図８，９に示すようにセレクタバルブ２０が、運転席に座ったオペレータの足が載置される床３５の下方に位置する旋回フレーム上の左側位置に形成された空間部内に設けられている。すなわち、上述の空間部を形成する側壁部３６に穴部３６ａが設けられ、この穴部３６ａに対応する位置にセレクタバルブ３７が設けられている。
【０００６】
セレクタバルブ３７を切り換え操作するときには、図９に示すようにキャップ３８が取り外され、セレクタバルブ３７の切り換え操作を行わないときには、図８に示すように、穴部３６ａにキャップ３８が取り付けられ、このキャップ３８によってセレクタバルブ３７が覆われるようになっている。なお、セレクタバルブ３７からの戻り油は、油圧ホースを介して、運転席の右側方の外装カバー内に配置されたオイルタンクに戻されるようになっている。上述した図８，９に示した従来技術と略同等の技術が特許文献１に開示されている。
【先行技術文献】
【特許文献】
【０００７】
【特許文献１】特開２０１２−１７５５３号公報
【発明の概要】
【発明が解決しようとする課題】
【０００８】
上述した図８，９に示した従来技術、及び特許文献１に開示された従来技術は、運転席に座ったオペレータの足が載置される床３５の下方位置にセレクタバルブ３７が配置されているので、オペレータは運転席に座った状態ではセレクタバルブ３７を切り換え操作することができない。すなわち、セレクタバルブ３７を切り換え操作するときには、オペレータは運転席から一度降りる必要がある。この点で従来技術は、アクチュエータの操作開始の準備作業が煩雑になりやすい。
【０００９】
また、従来技術は、運転席から見て左側位置にセレクタバルブが設けられ、右側位置にセレクタバルブ３７からの戻り油が導かれるオイルタンクが設けられることから、セレクタバルブ３７とオイルタンクとの連絡に設けられる油圧ホースが長くなりやすい。このために作業時の大きな振動等による周辺機材との干渉から保護することを考慮して油圧ホースに巻き付けられる保護材の量が多くなり、また油圧ホースを所定箇所に固定する固定部材が必要になる。これに伴って従来技術は、セレクタバルブ３７の設置に関連する設備コストが高くなる問題がある。
【００１０】
本発明は、上述した従来技術における実情からなされたもので、その目的は、運転席に座った状態でオペレータがセレクタバルブを切り換え操作することができ、また、セレクタバルブとオイルタンクとの連絡に設けられる油圧ホースを短くすることができる建設機械を提供することにある。
【課題を解決するための手段】
【００１１】
この目的を達成するために、本発明は、アタッチメントを有する作業装置と、上記アタッチメントの操作を切り換えるセレクタバルブと、運転席の右側方に配置され、上記セレクタバルブからの戻り油を収容するオイルタンクと、上記セレクタバルブと上記オイルタンクとの連絡に設けられる油圧ホースとを備えた建設機械において、上記セレクタバルブを、上記オイルタンクの近傍位置に設けたことを特徴としている。
【００１２】
このように構成した本発明は、運転席の右側方に位置するオイルタンクの近傍位置にセレクタバルブを設けたことから、運転席に座った状態でオペレータがセレクタバルブを切り換え操作することができる。また、オイルタンクの近傍位置にセレクタバルブを設けたことから、セレクタバルブとオイルタンクとの連絡に設けられる油圧ホースを短くすることができる。
【００１３】
また本発明は、上記発明において、上記セレクタバルブを保持する保持装置を備え、上記保持装置を上記オイルタンクに固定したことを特徴としている。
【００１４】
このように構成した本発明は、セレクタバルブが保持装置を介して剛性を有するオイルタンクに固定されるので、作業時に大きな振動等が与えられた場合でも、セレクタバルブを安定して保持させることができる。
【００１５】
また本発明は、上記発明において、上記オイルタンクに接続されるパイプ管を備え、上記油圧ホースの一端を上記セレクタバルブに接続し、上記油圧ホースの他端を上記パイプ管に接続したことを特徴としている。
【００１６】
このように構成した本発明は、パイプ管部分にセレクタバルブからの戻り油中に含まれるコンタミを除去するフィルタを設けることができ、オイルタンクに戻される油の浄化を実現させることができる。
【００１７】
また本発明は、上記発明において、上記オイルタンクを覆う外装カバーを備え、上記外装カバーに上記セレクタバルブの切り換え操作を許容させる穴部を形成し、上記穴部を塞ぐキャップを設けたことを特徴としている。
【００１８】
このように構成した本発明は、セレクタバルブの切り換え操作時には、キャップを取り外し、外装カバーの穴部を介してセレクタバルブを切り換え操作することができ、セレクタバルブの切り換え操作を要しないときには穴部をキャップで塞いで、セレクタバルブを保護することができる。
【００１９】
また本発明は、上記発明において、当該建設機械はミニショベルから成り、上記外装カバーは、上記運転席に座ったオペレータの足回りを保護する空間部を形成する構成部材であることを特徴としている。
【００２０】
このように構成した本発明は、外装カバーの内部にセレクタバルブを設けてあり、外装カバーが、運転席に座ったオペレータの足回りを保護する空間部を形成する構成部材であることから、ミニショベルに特有な運転席に座ったオペレータの狭い足回り領域に制約を与えることなくセレクタバルブを設けることができる。
【発明の効果】
【００２１】
本発明に係る建設機械によれば、運転席に座った状態でオペレータがセレクタバルブを切り換え操作することができ、アクチュエータの操作開始の準備作業が従来に比べて簡単になる。また本発明は、セレクタバルブとオイルタンクとの連絡に設けられる油圧ホースを短くすることができ、これに伴って、作業時の大きな振動等による周辺機材との干渉から保護することを考慮して油圧ホースに巻き付けられる保護材の量を少なくし、また油圧ホースを固定する固定部材を低減させることができる。これにより本発明は、セレクタバルブの設置に関連する設備コストを従来よりも安価にすることができる。
【図面の簡単な説明】
【００２２】
【図１】本発明に係る建設機械の一実施形態を構成するミニショベルを示す斜視図である。
【図２】本実施形態の主要機器の配置構成を示す平面図である。
【図３】本実施形態の要部構成を示す斜視図である。
【図４】図３の分解斜視図である。
【図５】図１の要部拡大図である。
【図６】図５に示す状態からキャップを取り外した状態を示す斜視図である。
【図７】本発明に備えられるセレクタバルブの配管系統を示す斜視図である。
【図８】従来の建設機械の一例として挙げたミニショベルの要部斜視図である。
【図９】図８に示す状態からキャップを取り外した状態を示す斜視図である。
【発明を実施するための形態】
【００２３】
以下、本発明に係る建設機械の実施の形態を図面に基づいて説明する。
【００２４】
図１は本発明に係る建設機械の一実施形態を構成するミニショベルを示す斜視図、図２は本実施形態の主要機器の配置構成を示す平面図である。
【００２５】
これらの図１，２に示すように、建設機械を構成するミニショベルは、走行体１と、この走行体１上に配置される旋回体２と、この旋回体２に上下方向の回動可能に設けられ、ブーム４、アーム５、及びバケット６を有する作業装置３とを備えている。ブーム４は、スイングポスト４ａの軸心回りに回動可能に取り付けられている。
【００２６】
旋回体２上には運転席７を配置してあり、運転席７はキャノピ１０によって覆われている。運転席７の下方位置には、ラジエータ１６、エンジン１７、及び油圧ポンプ１８等が収容されるエンジン室８を配置してある。エンジン室８の後方には、カウンタウェイト９を配置してある。また、運転席７の下方の略中央位置に旋回体２を旋回させる旋回モータ１１を配置してある。運転席７の下方の左前方位置には、作業装置３等を駆動する油の流れを制御するコントロールバルブ１２を配置してある。
【００２７】
運転席７の右側方には前側位置に燃料タンク１３を配置してあり、この燃料タンク１３の後側位置に、コントロールバルブ１２を介して作業装置３等を駆動する各アクチュエータに供給される油が収容されるオイルタンク１４を配置してある。
【００２８】
上述したように、このようなミニショベルにあっては、バケット６に代えて、ブレーカ、クラッシャ等のアタッチメントが装着されて作業が行われることがある。これに伴い、アタッチメントの操作を切り換えるセレクタバルブが設けられる。このようなセレクタバルブは、例えばブレーカによる操作に際しては、戻り油をコントロールバルブを介さずに直接オイルタンク１４に戻る油路を確保させ、例えばクラッシャによる操作に際しては、戻り油をコントロールバルブ１２を介してオイルタンク１４に戻る油路を確保させるように切り換え操作される。
【００２９】
図３は本実施形態の要部構成を示す斜視図、図４は図３の分解斜視図である。
【００３０】
これらの図３，４に示すように、本実施形態にあっては、セレクタバルブ２０をオイルタンク１４の近傍位置に設けてある。このセレクタバルブ２０は、つまみ部２０ａを操作することにより、前述したアクチュエータの操作に関連する油路を切り換えることができる。
【００３１】
また本実施形態は、セレクタバルブ２０を保持する保持装置２１を備え、この保持装置２１をオイルタンク１４の側面に固定してある。
【００３２】
保持装置２１は、オイルタンク１４の側面に例えば溶接によって固定され、上下一対の雌ねじ部２１ｂを有するブラケット２１ａと、セレクタバルブ２０に形成した上下一対のボルト穴２０にそれぞれ挿入され、ブラケット２１ａの雌ねじ部２１ｂに螺合してセレクタバルブ２０を締結する２本のボルト２１ｂとを含んでいる。
【００３３】
図５は図１の要部拡大図、図６は図５に示す状態からキャップを取り外した状態を示す斜視図である。
【００３４】
また本実施形態は、上述した図２、及び図５，６に示すように、燃料タンク１３及びオイルタンク１４を覆う外装カバー１５を備えている。この外装カバー１５の側面に、セレクタバルブ２０の切り換え操作を許容させる穴部１５ａを形成してある。また、この外装カバー１５の穴部１５ａを塞ぐキャップ１５ｂを設けてある。
【００３５】
図７は本発明に備えられるセレクタバルブの配管系統を示す斜視図である。
【００３６】
また本実施形態は、図７に示すように、オイルタンク１４に接続されるパイプ管２３を設けてあり、油圧ホース２２の一端をセレクタバルブ２０に接続し、この油圧ホース２２の他端をパイプ管２３に接続してある。パイプ管２３の途中には、パイプ管２３を流れる油中に含まれるコンタミを除くフィルタ２４を配置してある。
【００３７】
このように構成した本実施形態は、図１に示す状態からバケット６に代えて、ブレーカ、クラッシャ等のアタッチメントを取り付けた際に、該当するアタッチメントの油路を確保するために上述したようにセレクタバルブ２０が切り換え操作される。この際に、図５に示したキャップ１５ｂが取り外され、図６に示すように、外装カバー１５の穴部１５ａにおいてセレクタバルブ２０のつまみ部２０ａを露出させる。この状態で所定の工具を用いてつまみ部２０ａを回動させると、該当するアタッチメントの油路を確保できる。
【００３８】
その後は、例えば再び外装カバー１２の穴部１５ａにキャップ１５ｂが取り付けられ、該当するアタッチメントによる所望の作業が実施される。
【００３９】
このように構成した本実施形態は、運転席７の右前方に位置するオイルタンク１４の近傍位置にセレクタバルブ２０を設けたことから、運転席７に座った状態でオペレータがセレクタバルブ２０を切り換え操作することができ、アクチュエータの操作開始の準備作業が簡単になる。
【００４０】
また本実施形態は、オイルタンク１４の近傍位置にセレクタバルブ２０を設けたことから、セレクタバルブ２０とオイルタンク１４との連絡に用いられる油圧ホース２２を短くすることができる。これに伴って、作業時の大きな振動等による周辺機材との干渉から保護することを考慮して油圧ホース２２に巻き付けられる保護材の量を少なくし、また、油圧ホース２２を固定する固定部材を低減させることができる。これにより本実施形態は、セレクタバルブ２０の設置に関連する設備コストを安価にすることができる。
【００４１】
また本実施形態は、セレクタバルブ２０が保持装置２１を介して剛性を有するオイルタンク１４に固定されるので、作業時に大きな振動等が与えられた場合でも、セレクタバルブ２０を安定して保持させることができ、高い信頼性を確保することができる。
【００４２】
また本実施形態は、セレクタバルブ２０に一端が接続される油圧ホース２２の他端に接続され、オイルタンク１４に連絡されるパイプ管２３の部分に、セレクタバルブ２０からの戻り油中に含まれるコンタミを除去するフィルタ２４を設けることができ、オイルタンク１４に戻される油の浄化を実現させることができる。この点でも高い信頼性を確保できる。
【００４３】
また本実施形態は、セレクタバルブ２０の切り換え操作時には、キャップ１５ｂを取り外し、外装カバー１５の穴部１５ａを介してセレクタバルブ２０を切り換え操作することができ、セレクタバルブ２０の切り換え操作を要しないときには穴部１５ａをキャップ１５ｂで塞いで、セレクタバルブ２０を保護することができる。したがって、この点でも高い信頼性を確保できる。
【００４４】
また本実施形態は、外装カバー１５の内部にセレクタバルブ２０を設けてあり、外装カバー１５が、運転席７に座ったオペレータの足回りを保護する空間部を形成する構成部材であることから、ミニショベルに特有な運転席７に座ったオペレータの狭い足回り領域に制約を与えることなくセレクタバルブ２０を設けることができる。
【００４５】
なお、上記実施形態は、運転席７の右側方の前側位置に燃料タンク１３を配置し、後側位置にオイルタンク１４を配置してあるが、これとは逆に、運転席の右側方の前側位置にオイルタンク１４を配置し、後側位置に燃料タンク１３を配置する構成としてもよい。
【００４６】
また、上記実施形態は、セレクタバルブ２０を保持する保持装置２１をオイルタンク１４の側面に固定したが、この構成とは異なって、オイルタンク１４の側面に対向するように立設部材を設け、その立設部材にセレクタバルブ２０を保持する保持装置２１を固定してもよく、また外装カバー１５に剛性を持たせ、この外装カバー１５の内面側にセレクタバルブ２０を保持する保持装置２１を固定するようにしてもよい。
【００４７】
また、上記実施形態は、セレクタバルブ２０に接続される油圧ホース２２にパイプ管２３を接続し、このパイプ管２３をオイルタンク１４に連絡させるように構成したが、パイプ管２３を省略し、セレクタバルブ２０とオイルタンク１４とを油圧ホース２２のみによって接続する構成としてもよい。
【００４８】
また、上記実施形態は、保持装置２１を構成するブラケット２１ａに、ボルト２１ｂが螺合する雌ねじ部２１ａ１を形成したが、このような雌ねじ部２１ａ１に代えて、ブラケット２１ａにボルト２１ｂが挿入可能なボルト穴を形成し、そのボルト穴に対応する位置のブラケット２１ａの裏面側に、ボルト２１が螺合するナットを溶接した構成にしてもよい。
【符号の説明】
【００４９】
１    走行体
２    旋回体
３    作業装置
４    ブーム
５    アーム
６    バケット
７    運転席
１４    オイルタンク
１５    外装カバー
１５ａ  穴部
１５ｂ  キャップ
２０    セレクタバルブ
２０ａ  つまみ部
２０ｂ  ボルト穴
２１    保持装置
２１ａ  ブラケット
２１ａ１  雌ねじ部
２２    油圧ホース
２３    パイプ管
２４    フィルタ
【図１】
2016030943.tif 000003
【図２】
2016030943.tif 000004
【図３】
2016030943.tif 000005
【図４】
2016030943.tif 000006
【図５】
2016030943.tif 000007
【図６】
2016030943.tif 000008
【図７】
2016030943.tif 000009
【図８】
2016030943.tif 000010
【図９】
2016030943.tif 000011